(57)【要約】 【課題】  人又は動物が起立した蛍光灯に当っても、これが破損することなく経年的に使用できるとともに、人又は動物等も怪我をしない照明装置を提供する【解決手段】  強化プラスチック筒２の両端に蛍光灯１用のソケット５を設け、蛍光灯１を強化プラスチック筒２内に収めてあり、上記強化プラスチック筒２をバッテリー２５を収容した支持台３上に揺動自在に起立支持してある。【選択図】    図２
2006040682.tif 000002
【特許請求の範囲】
【請求項１】
強化プラスチック筒の両端に蛍光灯用のソケットを設け、蛍光灯を強化プラスチック筒内に収めてあり、上記強化プラスチック筒をバッテリーを収容した支持台上に揺動自在に起立支持してある照明装置。
【請求項２】
上記強化プラスチック筒を中空の支持台の上部に取り付けた弾性ゴム部材により起立支持してある上記請求項１に記載の照明装置。
【請求項３】
上記弾性ゴム部材が略円盤形状であり、その中央位置に円筒部を設けてあり、この円筒部に強化プラスチック筒の下部を挿入支持させてある上記請求項２に記載の照明装置。
【発明の詳細な説明】
【技術分野】
【０００１】
本発明は、例えば工事現場、公園、庭園、屋内等どのような場所にも起立して設置できる照明装置に関する。
【背景技術】
【０００２】
照明装置は、一般的に電柱上に取り付けられたものが多い。地上又は床上に設置されるものも知られている。通常は地上又は床上に起立させた支柱の上に照明器具を取り付けたものが多い。発明者は、長尺の蛍光灯を地上又は床上に置く支持台上に起立させると、その周囲を照らして効果的であることを考え、支持台上に蛍光灯を起立させた照明装置を試作した。
その一つが支持台上に起立した支柱の上下に蛍光灯の両端子を受け入れるソケットを固定し、このソケット間に蛍光灯を支持させた。しかし、これでは蛍光灯が裸状態であるから、蛍光灯に石でも当れば破損してしまい好ましくない。
【０００３】
次いで発明者は、強化プラスチックにて蛍光灯を収める筒を設け、この強化プラスチック筒の両端に蛍光灯用のソケットを設け、この強化プラスチック筒内に蛍光灯を収めて、これを支持台上に起立することを考え、試作した。これならば石等が蛍光灯に当ることなく、強化プラスチックに当っても破損することなく、しかも周囲を明るく照明することができ好都合である。
【発明の開示】
【発明が解決しようとする課題】
【０００４】
しかし、上記蛍光灯を収めた強化プラスチック筒を単に支持台上に起立固定させただけでは、このプラスチック筒に人又は動物等が当れば、この蛍光灯が破損するか、人又は動物が怪我をするおそれがあり好ましくない。
この点に鑑み、本発明は、人又は動物が起立した蛍光灯に当っても、これが破損することなく経年的に使用できるとともに、人又は動物等も怪我をしない照明装置を提供するものである。
【課題を解決するための手段】
【０００５】
そのために、本発明照明装置は、強化プラスチック筒の両端に蛍光灯用のソケットを設け、蛍光灯を強化プラスチック筒内に収めてあり、上記強化プラスチック筒をバッテリーを収容した支持台上に揺動自在に起立支持してある照明装置。
上記強化プラスチック筒を中空の支持台の上部に取り付けた弾性ゴム部材により起立支持してある。
上記弾性ゴム部材が略円盤形状であり、その中央位置に円筒部を設けてあり、この円筒部に強化プラスチック筒の下部を挿入支持させてある。
【発明の効果】
【０００６】
本発明照明装置は、強化プラスチック筒の両端に蛍光灯用のソケットを設け、蛍光灯を強化プラスチック筒内に収めてあり、上記強化プラスチック筒をバッテリーを収容した支持台上に揺動自在に起立支持してあるから、起立した蛍光灯入り強化プラスチック筒に人が当ったり、動物が衝突しても、蛍光灯入り強化プラスチック筒が揺れ動き、蛍光灯入り強化プラスチック筒を破損するおそれがなく、経年的に使用できるとともに、人又は動物も怪我するおそれを少なくできた効果がある。
【０００７】
本発明照明装置は、上記強化プラスチック筒を中空の支持台の上部に取り付けた弾性ゴム部材により起立支持してあるから、蛍光灯入り強化プラスチック筒の支持構造をきわめて簡単な構造とし、安価に提供できる効果がある。
また、本発明照明装置は、上記弾性ゴム部材が略円盤形状であり、その中央位置に円筒部を設けてあり、この円筒部に強化プラスチック筒の下部を挿入支持させてあるから、蛍光灯入り強化プラスチック筒は３６０°何れの方向にも揺動可能であり、安全性の高い照明装置に為し得た効果がある。
【発明を実施するための最良の形態】
【０００８】
図面に示した好ましい実施例により本発明の詳細を説明する。
本発明照明装置は、基本的には、蛍光灯１を収めた強化プラスチック筒２と、この蛍光灯１を収めた強化プラスチック筒２を起立支持する支持台３とから構成される。
【０００９】
強化プラスチック筒２は、その下端に蛍光灯１の下端の接続端子４，４を受け入れて接続するソケット５を固設してある。また、強化プラスチック筒２の上端は開放してあり、後述するソケット付きキャップを受け止める止め具６を固設してある。図中７がソケット付きキャップで、蛍光灯１の上端の接続端子４，４を受け入れるソケット５を設けてある。
【００１０】
上記支持台３は中空形状に形成してあり、下台８上に被せて固定するようにしてある。この中空形状の支持台３の上部中央には、円筒状の突出部９を設けて、その上縁１０を内向きに屈曲形状に形成してある。この円筒状の突出部９の上部に、上記蛍光灯入り強化プラスチック筒を揺動自在に支持する弾性ゴム部材１１を取り付けてある。この弾性ゴム部材１１は略円盤形状をしており、その中央位置に上記強化プラスチック筒の下部を支持する円筒部１２を設け、周囲には下向きに屈曲するスカート部１３を有する。
【００１１】
上記弾性ゴム部材１１を支持台３の突出部９上部に強固に固定するために、上記弾性ゴム部材１１のスカート部１４を突出部９との間に強固に挟持する挟持上縁１４を内向き屈曲形状に設けて弾性ゴム部材１１を突出部９にしっかりと取り付ける円筒状の取付部材１５を設けてある。この円筒状の取付部材１５は、突出部９の内側に接して取り付けられるが、その取付構造は取付部材１５の下縁にフランジ部１６を設け、後述する弾性ゴム部材からなる緩衝部材と共に支持台３の内側にボルト止め１７，１７してある。
【００１２】
上記弾性ゴム部材１１の円筒部１２の下半部に嵌め込み固定して、円筒状をした揺動バランサー１８を設けてあり、その下部には底部１９を設けてある。この揺動バランサー１８を僅かに間隙２０をおいて弾性ゴム部材からなる緩衝部材２１を設けてある。この緩衝部材２１も有底の円筒状をなし、その上縁を外側にフランジ部２２として構成し、その外側を下向きに屈曲垂下して屈曲垂下部２３とし、この屈曲垂下部２３を取付部材１５の内側に密接し、その下縁にフランジ部２４を設けて、取付部材１５のフランジ部１６と共にボルト止め１７，１７してある。
【００１３】
支持台３の中には蛍光灯１入り強化プラスチック筒２を安定して起立させるために、重量のあるバッテリー２５を収めてあり、インバーター２６を介して、ソケット５に設けた接触端子２７，２７に接続する配線２８を設け、この配線２８中に支持台３の外側に配置したスイッチ２９を設けてある。
【００１４】
上記の通りの構成からなる本発明照明装置は、通常は上記揺動バランサー１８のバランス作用にもより、蛍光灯１入り強化プラスチック筒２が支持台３上に垂直に起立している。この状態でスイッチ２９をＯＮし、通電すると、蛍光灯１が点灯し、周囲を明るく照明する。
この状態で、蛍光灯１入り強化プラスチック筒２に人又は動物等が当ると、この強化プラスチック筒２が図１の想像線のように揺動する。即ち、この強化プラスチック筒２は弾性ゴム部材１１の柔軟性により揺動する。しかし、揺動バランサー１８のバランス作用により、強化プラスチック筒２は直立起立状態に復帰しようとする。この強化プラスチック筒２の揺動が大きいと、揺動バランサー１８が緩衝部材２１に当り、大きな揺動が防止される。
【図面の簡単な説明】
【００１５】
【図１】本発明照明装置の斜視図。
【図２】本発明照明装置の拡大断面図で、蛍光灯と強化プラスチック筒の一部を省略してある。
【符号の説明】
【００１６】
１  蛍光灯
２  強化プラスチック
３  支持台
４  接続端子
５  ソケット
６  止め具
７  ソケット付きキャップ
８  下台
９  突出部
１０  上縁
１１  弾性ゴム部材
１２  円筒部
１３  スカート部
１４  挟持上縁
１５  取付部材
１６  フランジ部
１７  ボルト止め
１８  揺動バランサー
１９  底部
２０  間隙
２１  緩衝部材
２２  フランジ
２３  屈曲垂下部
２４  フランジ部
２５  バッテリー
２６  インバーター
２７  接触端子
２８  配線
２９  スイッチ
【図１】
2006040682.tif 000003
【図２】
2006040682.tif 000004